(57)【要約】【目的】生産の効率化を図ることができ、温水配管を埋設するための溝を得ることにおいて切り屑を発生させない温水式床暖房パネル構造体を提供する。【構成】断熱温水配管ユニット１は、固形断熱体２内に温水配管３がその周面の一部のみを露呈させ且つこの露呈部分を固形断熱体２の面に略面一にして埋設されたものである。固形断熱体２は、その成型段階で温水配管３の配置形状に対応した溝２ａが形成された構造とすることができる。床下地板６の裏面上に前記ユニット１がその温水配管３を前記裏面に対面させて配置される。そして、前記ユニット１・１間に根太部材７が嵌め込まれる。【選択図】　　　　　　　　図２
2004028541.tif 000002
【特許請求の範囲】
【請求項１】
固形断熱体内に温水配管がその周面の一部のみを露呈させ且つこの露呈部分を固形断熱体の面に略面一にして設けられており、床板材の裏面に所定間隔で配置された根太部材間に前記固形断熱体が前記温水配管を前記床板材に対面させて配置されていることを特徴とする温水式床暖房パネル構造体。
【請求項２】
請求項１に記載の温水式床暖房パネル構造体において、複数の固形断熱体における温水配管同士が継ぎ手によって連結されていることを特徴とする温水式床暖房パネル構造体。
【請求項３】
請求項１に記載の温水式床暖房パネル構造体において、複数の固形断熱体における温水配管は一体物であることを特徴とする温水式床暖房パネル構造体。
【請求項４】
請求項１乃至請求項３のいずれかに記載の温水式床暖房パネル構造体において、温水配管がその周面の一部のみを露呈させている側の固形断熱体の面に金属シートが貼付されたことを特徴とする断熱温水配管ユニット。
【請求項５】
請求項１乃至請求項４のいずれかに記載の温水式床暖房パネル構造体において、楔部を有する係止具が片側にだけ固形断熱体が配置される根太部材に固定され、前記楔部が固形断熱体に差し込まれていることを特徴とする温水式床暖房パネル構造体。
【請求項６】
請求項１乃至請求項５のいずれかに記載の温水式床暖房パネル構造体において、楔部を有する係止具が両側に固形断熱体が配置される根太部材に固定され、前記楔部が両側の固形断熱体に差し込まれていることを特徴とする温水式床暖房パネル構造体。
【請求項７】
請求項１乃至請求項６のいずれかに記載の温水式床暖房パネル構造体において、楔部を有する係止具が固形断熱体の側面側を支持するものとして前記床板材の縁部に固定されており、前記楔部は固形断熱体に差し込まれていることを特徴とする温水式床暖房パネル構造体。
【請求項８】
請求項１乃至請求項７のいずれかに記載の温水式床暖房パネル構造体において、釘又はビスが固形断熱体を貫通して前記床板材に固定されることで固形断熱体が保持されたことを特徴とする温水式床暖房パネル構造体。
【請求項９】
請求項１乃至請求項８のいずれかに記載の温水式床暖房パネル構造体において、前記根太部材を貫通して隣り合う断熱温水配管ユニットの温水配管が接続されることを特徴とする温水式床暖房パネル構造体。
【発明の詳細な説明】
【０００１】
【産業上の利用分野】
この発明は、温水式床暖房パネル構造体に関する。
【０００２】
【従来の技術】
従来の温水式床暖房パネル構造としては、▲１▼合板面材や断熱材（硬質スチレンフォーム）内に温水配管（架橋ポリエチレンパイプ又は鋼管パイプ）を組み入れて成るものを、現場において床下地板上に配置し、この床下地板上に別体のカラーフロア（床仕上げ材）を敷きつめる構造、▲２▼カラーフロア内に温水配管を組み入れて成るフロアー一体型の床暖房パネルを、現場において床下地板上に敷きつめる構造、▲３▼床下地板内に温水配管を組み入れて成る床下地一体型の床暖房パネル（根太付きタイプもある）を、現場において大引き上に配置し、床下地板上に別体のカラーフロアを敷きつめる構造が知られている。
【０００３】
【発明が解決しようとする課題】
上記▲１▼及び▲２▼の構造は、現場において床下地を構築することになるため、現場での作業負担が大きい。一方、▲３▼の構造は、床下地となる構造部分を含めて工場での生産が可能であることから、現場での作業負担は小さく、床暖房としない箇所と同じように施工ができ、工期が短縮できる利点がある。しかしながら、上記▲３▼の構造（▲１▼及び▲２▼の構造でも）、板材の面に温水配管用の溝を彫り込む加工（通称、ルーター加工という）が必要であり、このルーター加工で切り屑が発生するため、その適切な処理が必要になる。また、工場内生産における効率化が十分に図れているものではなかった。
【０００４】
この発明は、生産の効率化を図ることができ、温水配管を埋設するための溝を得ることにおいて切り屑を発生することがない温水式床暖房パネル構造体を提供することを目的とする。
【０００５】
【課題を解決するための手段】
この発明にかかる温水式床暖房パネル構造体は、上記課題を解決するために、固形断熱体内に温水配管がその周面の一部のみを露呈させ且つこの露呈部分を固形断熱体の面に略面一にして設けられており、床板材の裏面に所定間隔で配置された根太部材間に前記固形断熱体が前記温水配管を前記床板材に対面させて配置されていることを特徴とする。
【０００６】
上記の構成であれば、固形断熱体内に温水配管がその周面の一部のみを露呈させ且つこの露呈部分を固形断熱体の面に略面一にして設けられているから、かかる固形断熱体を床板材の裏面に設置した場合に、温水配管の周面露呈箇所が床板材に接する又は近接することになり、温水配管からの熱逃げを防止しつつ当該温水配管の熱を床板材に伝える構造を簡単に実現でき、生産の効率化が図れる。そして、前記固形断熱体においては、その成型段階で温水配管の配置形状に対応した溝を形成することが容易であり、或いは、型枠内に温水配管をセットして前記型枠内に断熱材を注入発泡することで前記固形断熱体を成型することもできるから、温水配管を配置するために固形断熱体に対する彫り込みを行う必要がなく、切り屑を出さずに済むことになる。また、床板材に溝を彫り込んで温水配管を埋設する構造では、この配管配置箇所における床板材の厚みが薄くなり、床仕上げ板の固定のための釘を打つことにおいて、配管配置箇所を示すなどの注意を要するが、かかる発明の構成であれば、床板材の厚みは何処も同じであり、配管配置箇所を示すといったことも不要にできる。
【０００７】
複数の固形断熱体における温水配管同士が継ぎ手によって連結された構造としてもよい。或いは、複数の固形断熱体における温水配管は一体物である構造としてもよい。
【０００８】
前記温水配管がその周面の一部のみを露呈させている側の固形断熱体の面に金属シートが貼付されているのがよい。これによれば、温水配管の熱が金属シートを介して床板材に均一に伝えられることになる。
【０００９】
楔部を有する係止具が片側にだけ固形断熱体が配置される根太部材に固定されており、前記楔部が固形断熱体に差し込まれる構造としてもよい。
【００１０】
楔部を有する係止具が両側に固形断熱体が配置される根太部材にの箇所に設けられており、前記楔部が両側の固形断熱体に差し込まれる構造としてもよい。
【００１１】
楔部を有する係止具が固形断熱体の側面側を支持するものとして前記床板材の縁部に固定されており、前記楔部が固形断熱体に差し込まれている構造としてもよい。
【００１２】
釘又はビスが固形断熱体を貫通して前記床板材に固定されることで固形断熱体が保持された構成としてもよい。
【００１３】
前記根太部材を貫通して隣り合う断熱温水配管ユニットの温水配管が接続される構成としてもよい。かかる構成であれば、根太部材を迂回して温水配管を配置するよりも、配管施工がやり易く配管長さが短くてすみ、見栄えもよくなる。
【００１４】
【発明の実施の形態】
以下、この発明の実施形態の温水式床暖房パネル構造体を図１乃至図５に基づいて説明する。
【００１５】
図１はこの実施形態の温水式床暖房パネル構造体に用いる断熱温水配管ユニット１…から成る集合ユニット１１を示した図であり、同図（ａ）は全体を示した斜視図であり、同図（ｂ）は同図（ａ）のＡ−Ａ矢視断面図であって溝成型タイプを示した図であり、同図（ｃ）はＡ−Ａ矢視断面図であって温水配管一体成型タイプ示した図である。
【００１６】
集合ユニット１１は３つの断熱温水配管ユニット１…から成る。断熱温水配管ユニット１は、ブロック形状を成す固形断熱体（例えば、スチレンやウレタン等を用いることができる）２内に温水配管（架橋ポリエチレンパイプ或いは鋼管パイプ等を用いることができる）３がその周面の一部のみを露呈させ且つこの露呈部分を固形断熱体２の面に略面一にして埋設されている。固形断熱体２は、同図（ｂ）に示すように、その成型段階で温水配管３の配置形状に対応した溝２ａを形成した構造とすることができるし、或いは、同図（ｃ）に示した構造とすることもできる。同図（ｃ）に示した構造は、型枠内に温水配管３をセットして前記型枠内に断熱材を注入発泡させて成型することにより得られた構造である。
【００１７】
各断熱温水配管ユニット１において、温水配管３がその周面の一部のみを露呈させている側の固形断熱体２の面には熱伝導率が高い金属シート（例えば、アルミシート）４が貼付されている。温水配管３の熱は上記金属シート４を介して後述する床下地板６に均一に伝えられることになる。
【００１８】
また、各断熱温水配管ユニット１において、温水配管３はブロック状の固形断熱体２の側面から引き出されている。隣り合う断熱温水配管ユニット１・１の温水配管３・３同士は図示しない継ぎ手によって連結されたものでもよいし、或いは、一本の温水配管３が３つの断熱温水配管ユニット１…に渡って設けられる構造としてもよい。また、端側に配置された断熱温水配管ユニット１の外側の側面から引き出された温水配管３の端部には、隣に配置されることとなる他の集合ユニット１１との配管接続のための継ぎ手５が設けられている。
【００１９】
図２に示すように、床下地板（合板）６の裏面上に前記の集合ユニット１１がその温水配管３を床下地板６に対面させて配置される。そして、集合ユニット１１における３つの断熱温水配管ユニット１…の間に根太部材７を嵌め込み、図示しないビス等によって根太部材７を床下地板６に固定する。根太部材７…のうちの最も端側の根太部材７は床下地板６の縁から幾分はみ出して設けられ、前記端と反対側の端においては、固形断熱体２の側面からの床下地板６の端のはみ出し量を前記根太部材７のはみ出し量に対応させている。床下地板６の前記はみ出し部分には、後述する第３の金具２３が設けられている。
【００２０】
前記根太部材７の高さは固形断熱体２の高さに一致させてあり、根太部材７の下面と固形断熱体２の下面は略面一となる。また、根太部材７には切欠き７ａが形成されており、この切欠き７ａ内に固形断熱体２の側面から引き出された温水配管３が収容されている。すなわち、根太部材７を貫通して隣り合う断熱温水配管ユニット１・１の温水配管３・３が接続された構造とされる。
【００２１】
図３に示すように、集合ユニット１１における各断熱温水配管ユニット１…は第１金具２１…、第２金具２２…、第３金具２３…によって固定されている。
【００２２】
第１金具２１…は、片側にだけ固形断熱体２が配置される根太部材７の箇所に設けられている。第１金具２１…は水平板部２１ａの片方の端部側に下方に屈曲形成された楔部２１ｂ・２１ｂを有して成る。楔部２１ｂ・２１ｂは固形断熱体２に差し込まれ、前記水平板部２１ａは根太部材７にビス２４によって固定されている。
【００２３】
第２金具２２…は、両側に固形断熱体２・２が配置される根太部材７の箇所に設けられている。第２金具２２…は水平板部２２ａの両方の端部側に下方に屈曲形成された楔部２２ｂ…を有して成る。一方の端部側の楔部２２ｂと他方の端部側の楔部２２ｂとの間隔は根太部材７の幅に対応している。楔部２２ｂ…は固形断熱体２に差し込まれ、前記水平板部２２ａは根太部材７にビス２４によって固定されている。
【００２４】
第３金具２３…は端に配置された固形断熱体２の側面側を支持するものとして床下地板６の縁部に設けられている。第３金具２３…は、第１水平板部２３ａ、垂直板部２３ｂ、第２水平板部２３ｃ、楔部２３ｄ・２３ｄを有して成る。楔部２３ｄ・２３ｄは第２水平板部２３ｃの端部を下方に屈曲形成して成るものであり、この楔部２３ｄ・２３ｄは固形断熱体２に差し込まれている。垂直板部２３ｂの高さは固形断熱体２の厚みに対応している。第１水平板部２３ａはビス２４によって床下地板６に固定される。
【００２５】
図５（ａ）（ｂ）は、上述した金具を用いずに長尺のビス２５によって直接に固形断熱体２を床下地板６に固定する形態を示している。すなわち、ビス２５が固形断熱体２を貫通して床下地板６に固定されることで固形断熱体２が保持されるようになっている。ビス２５の頭部による局所的な大きな力が固形断熱体２に加わるのを防止するために、ビス２５の頭部下に座金を配置してもよい。また、ビス２５に代えて釘を用いてもよい。このようにビス２５や釘を用いる構造は、根太部材７の高さと固形断熱体２の高さとが同じでなく、前記根太部材７の下面と固形断熱体２の下面との間で段差が生じる場合に好適となる。勿論、このような段差が生じる場合において上述したような金具が利用できないという意味ではなく、当該段差に対応させた金具を用意すればよい。
【００２６】
以上説明したように、固形断熱体２内に温水配管３がその周面の一部のみを露呈させ且つこの露呈部分を固形断熱体２の面に略面一にして設けられているから、かかる固形断熱体２を床下地材６の裏面に設置した場合に、温水配管３の周面露呈箇所が床下地材６に接する又は近接することになり、温水配管３からの熱逃げを防止しつつ当該温水配管３の熱を床下地材６に伝える構造を簡単に実現することができ、生産の効率化が図れる。そして、前記固形断熱体２においては、その成型段階で温水配管３の配置形状に対応した溝を形成することが容易であり、或いは、型枠内に温水配管３をセットして前記型枠内に断熱材を注入発泡することで前記固形断熱体２を成型することもできるから、温水配管３を配置するために固形断熱体２に対する彫り込みを行う必要がなく、切り屑を出さずに済むことになる。また、床下地材６に溝を彫り込んで温水配管３を埋設する構造では、この配管配置箇所における床下地材６の厚みが薄くなり、床仕上げ板の固定のための釘を打つことにおいて、配管配置箇所を示すなどの注意を要するが、かかる発明の構成であれば、床下地材６の厚みは何処も同じであり、配管配置箇所を示すといったことも不要にできる。
【００２７】
なお、上記実施形態においては、根太部材７を貫通して隣り合う断熱温水配管ユニット１・１の温水配管３・３が接続された構造としたが、これに限定するものではなく、施工手間や見栄え等の問題は有るが、根太部材７を迂回して温水配管３を配置するようにしてもよい。また、固形断熱体２としては、直方体形状のものを用いたが、これに限らず、中央側の高さのみが根太部材７よりも高く、端部側（根太部材７が大引きに載せられることとなる側）が根太部材７と面一となるような段差形状を有するものでもよい。また、中央側に別個に断熱体を追加配置する構造を採用してもよい。
【００２８】
【発明の効果】
以上説明したように、この発明によれば、温水配管からの熱逃げを防止しつつ当該温水配管の熱を床板材に伝える構造を簡単に実現でき、生産の効率化が図れる。そして、固形断熱体においては、その成型段階で温水配管の配置形状に対応した溝を形成することが容易であり、或いは、型枠内に温水配管をセットして前記型枠内に断熱材を注入発泡することで前記固形断熱体を成型することもできるから、温水配管を配置するために固形断熱体に対する彫り込みを行う必要がなく、切り屑を出さずに済むなどの効果が得られる。
【図面の簡単な説明】
【図１】この発明の実施形態の温水式床暖房パネル構造体に用いる断熱温水配管ユニットを示した図であって、同図（ａ）は全体を示した斜視図であり、同図（ｂ）は溝成型タイプの断面図であり、同図（ｃ）は温水配管一体成型タイプ示した断面図である。
【図２】この発明の実施形態の温水式床暖房パネル構造体の製造途中段階を示した斜視図である。
【図３】この発明の実施形態の温水式床暖房パネル構造体を示した斜視図である。
【図４】同図（ａ）は第１金具の斜視図であり、同図（ｂ）は第２金具の斜視図であり、同図（ｃ）は第３金具の斜視図である。
【図５】この発明の実施形態の温水式床暖房パネル構造体の変形例を示した図であって、同図（ａ）は全体を示した斜視図であり、同図（ｂ）は一部を拡大して示した断面図である。
【符号の説明】
１　　断熱温水配管ユニット
２　　固形断熱体
３　　温水配管
４　　金属シート
５　　継ぎ手
６　　床下地板
７　　根太部材
１１　集合ユニット
２１　第１金具
２２　第２金具
２３　第３金具
【図１】
2004028541.tif 000003
【図２】
2004028541.tif 000004
【図３】
2004028541.tif 000005
【図４】
2004028541.tif 000006
【図５】
2004028541.tif 000007